(57)【要約】【課題】高周波手術用電極チップ及びそれを備える高周波手術用電極に関し、より詳しくは、電極チップの部分に中空部及び中空部に流入した食塩水を生体内に流入させるための食塩水排出ホールを形成して、食塩水で電極チップを冷却すると共に、組織内に食塩水を流して電気伝導度を高めて組織の炭化を防止し、より短時間又はより高出力により広く組織を焼灼できる電極を提供すること。【解決手段】前段は複数個の傾斜面により尖端を形成し、後段はパイプ内に挿入できるように段差を有する本体；冷却水が流入するように本体の後段から所定の深さまで形成された中空部；及び、前記中空部に流入した冷却水である食塩水を排出する排出ホール；を含むことを特徴とする、高周波手術用電極チップ。【選択図】図８
2013163019.tif 000002
【特許請求の範囲】
【請求項１】
前段は複数個の傾斜面により尖端を形成し、後段はパイプ内に挿入できるように段差を有する本体；
冷却水が流入するように本体の後段から所定の深さまで形成された中空部；及び、
前記中空部に流入した冷却水である食塩水を排出する排出ホール；を含むことを特徴とする、高周波手術用電極チップ。
【請求項２】
前記中空部は、一定の径を有して本体の後段から前段の方に形成され、
前記排出ホールは、前記中空部が傾斜した尖端をあけて傾斜面上に形成したホールであることを特徴とする、請求項１に記載の高周波手術用電極チップ。
【請求項３】
前記排出ホールは、前記中空部から前段の傾斜面まで形成された貫通ホールをさらに含むことを特徴とする、請求項１に記載の高周波手術用電極チップ。
【請求項４】
前記中空部内に設けられるフィルタをさらに含むことを特徴とする、請求項１〜３の何れか１項に記載の高周波手術用電極チップ。
【請求項５】
中空の管からなる電極；
冷却水が流入して電極を冷却できるように電極内に形成される冷却水流路；及び、
前段は傾斜した形態で尖端を形成し、後段は電極内に挿入されるように段差を有する本体、食塩水が流入するように本体の後段から所定の深さまで形成された中空部、及び前記中空部に流入した食塩水を排出する排出ホールを設けた電極チップ；を含むことを特徴とする、高周波手術用電極。
【請求項６】
前記電極チップの中空部内に挿入されて食塩水を供給するパイプ；及び、
前記パイプを通って食塩水を供給するシリンジポンプ；をさらに含むことを特徴とする、請求項５に記載の高周波手術用電極。
【請求項７】
前記電極は、冷却水である食塩水を排出するための微細ホールをさらに含むことを特徴とする、請求項５に記載の高周波手術用電極。
【請求項８】
前記電極チップは、前記中空部に流入した冷却水である食塩水を排出する排出ホールを含むことを特徴とする、請求項７に記載の高周波手術用電極。
【請求項９】
前記電極チップは、食塩水の水圧を低下させるためのフィルタを前記中空部内にさらに含むことを特徴とする、請求項８に記載の高周波手術用電極。
【発明の詳細な説明】
【技術分野】
【０００１】
本発明は、高周波手術用電極チップ及びそれを備える高周波手術用電極に関し、より詳しくは、電極チップの部分に中空部を形成して、電極チップを食塩水で冷却すると共に、電気伝導性を高めて組織の炭化を防止し、焼灼部位をより大きく焼灼できるようにする高周波手術用電極チップ及びそれを備える高周波手術用電極に関する。
【背景技術】
【０００２】
一般に、長尺の中空管体状の電極を生体組織に挿通させ、所望の生体組織を高周波エネルギーで凝固(Coagulation又はAblation)させる技術は、既に公知である。このとき、生体組織に高周波の出力を流すと、生体組織が加熱されて多少複雑な生化学的器具により生体組織及び血管が凝固されるが、このような工程は、略５５℃以上で細胞内の蛋白質の熱変形による細胞(組織、血管及び血液を含む)の凝固により主におこる。
【０００３】
しかしながら、前記のような高周波電気手術用電極は、電極付近の血液の凝固が過度に行われて炭化し、電極付近の炭化した生体組織が絶縁体として作用して、生体組織を凝固させる領域を拡大するのに対する障害物になり得る。甲状腺のような一部の器官の場合、電極による組織の焼付けにより患者が深刻な痛みを感じることもある。このような問題点を解決するために、冷却食塩水を循環させると共に、循環される冷却水の一部を外部に噴出させることで、より広い領域の生体組織を凝固壊死できるように構成する。
【０００４】
図１は、従来の高周波電気手術用電極の一例を示す図である。
【０００５】
高周波電気手術用電極の電極部１０は、電極１１、電極チップ１２、流出ホール１３、流出管１４、流入管１５及び温度センサー１９を含む。高周波電気手術用電極は、モノポーラ(mono-polar)タイプ又はバイポーラ(bi-polar)タイプで形成され、図１に示す従来の高周波手術用電極はモノポーラタイプである。電極１１は中空の内部を有し、電極１１の一端は閉鎖された電極チップ１２により電極１１が皮膚を通して生体内に挿入されるように尖らして形成される。電極１１には、その内部に食塩水が流入する流入管１５が設けられ、その外部に流入管１５より大径の流出管１４が設けられる。流入管１５を通って流入した食塩水が、電極１１の端部近傍で回ってさらに流出管１４を通って電極部１０の外部に流出する。このとき、流出管１４には一つ以上の流出ホール１３が設けられ、流入管１５を通って流入した食塩水の一部が生体内に注入される。食塩水が生体内に注入されることで、組織の炭化を防止して長時間又は同時間でもより高い出力を用いて比較的広い部位の生体組織を焼灼できる。一方、電極１１の温度を測定できるように温度センサー１９を電極１１内にさらに含めることができる。
【０００６】
しかし、従来の高周波電気手術用電極は、高周波手術用電極の電極チップ１２の内部に冷却のための流路が形成されなかったり、電極チップ１２の部分を冷却するための流路が形成されても生体内に食塩水を注入するためのホールが形成されなかったりする場合、高周波電気手術の際、電極チップ１２にエネルギーが集中するため加熱された組織が炭化し易いという短所があった。
【発明の概要】
【発明が解決しようとする課題】
【０００７】
本発明の目的は、食塩水を流入できるように食塩水排出ホールを設けた高周波手術用電極チップ及びそれを備える高周波手術用電極を提供することにある。
【０００８】
また、本発明の目的は、高周波手術用電極チップを通って流入する食塩水の量を調節できる高周波手術用電極チップ及びそれを備える高周波手術用電極を提供することにある。
【課題を解決するための手段】
【０００９】
本発明は、前段は複数個の傾斜面により尖端を形成し、後段はパイプ内に挿入できるように段差を持つ本体；冷却水が流入するように本体の後段から所定の深さまで形成された中空部；及び、前記中空部に流入した冷却水である食塩水を排出する排出ホール；を含むことを特徴とする、高周波手術用電極チップを提供する。
【００１０】
また、本発明の他の一例として、中空部は、一定の径を有して本体の後段から前段の方に形成され、中空部の径より本体の径が小さい部分まで中空部が延長されてホールが形成され、ホールを通って食塩水が本体の外部に排出されることを特徴とする、高周波手術用電極チップが提供される。
【００１１】
また、本発明の他の一例として、本体の外部に食塩水を排出できるように、中空部から前段の傾斜面まで形成された貫通ホールをさらに含むことを特徴とする、高周波手術用電極チップが提供される。
【００１２】
また、本発明の他の一例として、中空部内に設けられるフィルタをさらに含むことを特徴とする、高周波手術用電極チップが提供される。
【００１３】
また、本発明は、中空の管からなる電極；冷却水が流入して電極を冷却できるように電極内に形成される冷却水流路；及び、前段は傾斜した形態で尖端を形成し、後段は電極内に挿入されるように段差を有する本体、食塩水が流入するように本体の後段から所定の深さまで形成された中空部、及び中空部に流入した食塩水を排出する排出ホールを設けた電極チップ；を含むことを特徴とする、高周波手術用電極を提供する。
【００１４】
また、本発明の他の一例として、電極チップの中空部内に挿入されて食塩水を供給するパイプ；及び、パイプを通って食塩水を供給するシリンジポンプ(syringe pump;図示せず)をさらに含むことを特徴とする、高周波手術用電極が提供される。
【００１５】
また、本発明の他の一例として、電極は、冷却水である食塩水を排出するための微細ホールをさらに含むことを特徴とする、高周波手術用電極が提供される。
【００１６】
また、本発明の他の一例として、電極チップは、中空部に流入した冷却水である食塩水を排出する排出ホールを含むことを特徴とする、高周波手術用電極が提供される。
【００１７】
また、本発明の他の一例として、電極チップは、食塩水の水圧を低下させるためのフィルタを中空部内に備えることを特徴とする、高周波手術用電極が提供される。
【発明の効果】
【００１８】
本発明に係る高周波手術用電極チップ及びそれを備える高周波手術用電極は、食塩水で電極チップを冷却し、電極チップを通って食塩水を生体内に流入できる。これにより、食塩水で電極チップを冷却すると共に、組織内に食塩水を流して電気伝導度を高めて組織の炭化を防止し、より短時間又はより高出力により広く組織を焼灼できる。
【００１９】
また、本発明に係る高周波手術用電極チップ及びそれを備える高周波手術用電極は、シリンジポンプを用いて電極チップを通って注入される食塩水の注入量を調節できる。
【図面の簡単な説明】
【００２０】
【図１】従来の高周波手術用電極を示す図である。
【図２】本発明の第１の実施例に係る高周波手術用電極チップを示す図である。
【図３】本発明の第１の実施例に係る高周波手術用電極チップを示す図である。
【図４】本発明の第１の実施例に係る高周波手術用電極チップを示す図である。
【図５】本発明の第２の実施例に係る高周波手術用電極チップを示す図である。
【図６】本発明の第２の実施例に係る高周波手術用電極チップを示す図である。
【図７】本発明の第２の実施例に係る高周波手術用電極チップを示す図である。
【図８】本発明の第１の実施例に係る高周波手術用電極を示す図である。
【図９】本発明の第２の実施例に係る高周波手術用電極を示す図である。
【図１０】本発明の第３の実施例に係る高周波手術用電極を示す図である。
【図１１】本発明の第４の実施例に係る高周波手術用電極を示す図である。
【図１２】本発明の第５の実施例に係る高周波手術用電極を示す図である。
【発明を実施するための形態】
【００２１】
図２〜図４は、本発明の第１の実施例に係る高周波手術用電極チップを示す図である。
【００２２】
本発明の第１の実施例に係る高周波手術用電極チップ１００の本体は、前段は生体組織内に電極を挿入し易いように傾斜面(１２２、１２４：１２０)により形成される尖端であり、後段はパイプのような中空体内に挿入できるように段差１３０が形成された形態である。本体１００内には、中空部１１０が形成され、高周波手術用電極チップ１００内に冷却水が流入して高周波手術用電極チップ１００を冷却できる。高周波手術用電極チップ１００の中空部１１０から冷却水を 焼灼したい生体内に流すことができるように、電極チップ１００の傾斜面１２２にホール１４０を形成する場合、食塩水が冷却水として用いられるべきである。中空部１１０は、一定の径を有して本体の後段から前段の方に形成され、中空部１１０が所定の深さ以上まで形成されれば、傾斜面１２０をあけて中空部１１０が傾斜面１２０上にホール１４０を形成することになる。
【００２３】
傾斜面１２０は、本体の中心軸に対し、鋭角を形成する傾斜面１２２と、鈍角を形成する傾斜面１２４とを含む。ここで、鋭角を形成する傾斜面１２２は互いに隣接する２つの面からなり、鈍角を形成する傾斜面１２４は互いに隣接するように２つの面からなる。中空部１１０が所定の深さまで形成される場合、鋭角を形成する傾斜面１２２上に２つのホール１４０が形成され、より深く中空部１１０を形成する場合、鋭角を形成する傾斜面１２２と鈍角を形成する傾斜面１２４とにホール１４０が形成されることで、合計４個のホール１４０が形成され得る。勿論、傾斜面１２０の個数、傾斜面１２０と本体の中心軸とがなす角をより多様にすることができる。
【００２４】
高周波手術用電極チップ１００は、円筒形の素材に後段の段差１３０を形成し、後段から所定の深さまで放電加工やスーパードリルにより中空部１１０を形成する。その後、前段に傾斜面１２０の加工により尖端を形成すると共に、中空部１１０の端部が傾斜面１２０を通して露出されてホール１４０を形成するように加工する。
【００２５】
図５〜図７は、本発明の第２の実施例に係る高周波手術用電極チップを示す図である。
【００２６】
本発明の第２の実施例に係る高周波手術用電極チップ１００の本体も、傾斜面(１２２、１２４：１２０)により形成される尖端である前段と、パイプのような中空体内に挿入できるように段差１３０を設けた後段とを備える。また、第１の実施例のように、本体内に冷却水を流入するための中空部１１０が形成される。
【００２７】
第２の実施例に係る高周波手術用電極チップ１００は、第１の実施例とは異なり、中空部１１０が傾斜面１２０をあける程度の深さまで形成されていない。代わりに、傾斜面１２０の外側から中空部１１０まで貫通ホール１５０が形成される。貫通ホール１５０を通って冷却水である食塩水を生体内に流しながら、高周波を用いて効果よく生体組織を焼灼できるだけでなく、高周波エネルギーが集中する高周波手術用電極チップ１００を冷却できる。よって、焼灼したい組織の炭化を防止し得る。
【００２８】
高周波手術用電極チップ１００は、円筒形の素材に後段の段差１３０を形成し、後段から所定の深さまで放電加工やスーパードリルにより中空部１１０を形成する。その後、前段に傾斜面１２０の加工により尖端を形成し、レーザーにより傾斜面１２０から中空部１１０まで貫通ホール１５０を形成する。貫通ホール１５０を形成した後に傾斜面１２０を形成することもできる。
【００２９】
図８は、本発明の第１の実施例に係る高周波手術用電極を示す図である。
【００３０】
本発明の第１の実施例に係る高周波手術用電極は、高周波手術用電極チップ１００及び電極２００を含む。電極チップ１００は、図２〜図４に示す本発明の第１の実施例に係る高周波手術用電極チップと同様である。電極２００は、いわゆるクールタイプ(cool type)であって、外パイプ２１０と内パイプ２２０とを含み、内パイプ２２０を通って冷却水が流入し、内パイプ２２０と外パイプ２１０との間を 通ってさらに外部に排出され、電極２００を冷却する。外パイプ２１０と内パイプ２２０との間を通ってさらに排出させるために、強い水圧が要求される。このような強い水圧の冷却水がホール２４０を通って生体に排出される場合、生体が損傷する恐れもある。よって、適切な圧力で食塩水を電極チップ１００内の中空部１１０に供給するパイプ３００と、パイプ３００を通って食塩水を供給するシリンジポンプ(図示せず)とを含むことができる。また、温度を測定するための温度センサー２８０が含まれる。勿論、パイプ３００及びシリンジポンプの代わり、中空部１１０内に水圧を低減できるフィルタ(図示せず)やピン(図示せず)を設けて適切な圧力で食塩水が排出できる。パイプ３００及びシリンジポンプを設ける場合、電極チップ１００を通って生体に注入される食塩水の注入量を調節できる。よって、腫瘍のような組織の焼灼がよく行われない場合は食塩水の注入量を増加させ、焼灼量の微細調整が要求される場合は食塩水の注入量を低減させる等の調節が可能である。
【００３１】
図９は、本発明の第２の実施例に係る高周波手術用電極を示す図である。
【００３２】
本発明の第２の実施例に係る高周波手術用電極は、高周波手術用電極チップ１００及び電極２００を含む。電極チップ１００は、図５〜図７に示す本発明の第２の実施例に係る高周波手術用電極チップと同様である。電極２００は、第１の実施例に係る電極２００と同様なクールタイプである。
【００３３】
図１０は、本発明の第３の実施例に係る高周波手術用電極を示す図である。
【００３４】
本発明の第３の実施例に係る高周波手術用電極は、高周波手術用電極チップ１００及び電極２００を含む。電極チップ１００は、図２〜図４に示す本発明の第１の実施例に係る高周波手術用電極チップと同様である。電極２００は、クールドウェットタイプ(cooled wet type)であって、外パイプ２１０と内パイプ２２０とを設け、内パイプ２２０に流入した冷却水である食塩水が、一部は外パイプ２１０に形成された微細ホール２４０を通って排出され、一部は内パイプ２２０と外パイプ２１０との間の流路を通って循環して排出される。図１０には示されていないが、電極チップ１００の中空部１１０を通って電極チップ１００を冷却し、ホール１４０を通って生体に排出される食塩水を適切な水圧で供給するために、図８及び図９に示すようにパイプ３００とシリンジポンプ(図示せず)とが設けられる。食塩水の水圧を低下させるためのフィルタ(図示せず)を中空部１１０内に設けることもできる。また、温度を測定するための温度センサー２８０を含む。
【００３５】
図１１は、本発明の第４の実施例に係る高周波手術用電極を示す図である。
【００３６】
本発明の第４の実施例に係る高周波手術用電極は、高周波手術用電極チップ１００及び電極２００を含む。電極チップ１００は、図５〜図７に示す本発明の第２の実施例に係る高周波手術用電極チップと同様であり、電極２００はクールドウェットタイプであって、第３の実施例に係る高周波手術用電極の電極２００と同様である。
【００３７】
図１２は、本発明の第５の実施例に係る高周波手術用電極を示す図である。
【００３８】
本発明の第５の実施例に係る高周波手術用電極は、高周波手術用電極チップ１００及び電極２００を含む。電極チップ１００は、図２〜図４に示す本発明の第１の実施例に係る高周波手術用電極チップと同様であり、電極２００はバイポーラタイプである。バイポーラタイプの電極２００は、内パイプ２４０、中間パイプ２５０及び外パイプ２６０を含み、中間パイプ２５０と電極チップ１００とが熔接２９０により結合される。電極チップ１００と外パイプ２６０とは互いに極性が異なるため、バイポーラタイプであると呼ばれ、電極チップ１００と外パイプ２６０とを電気的に絶縁するために、中間パイプ２５０と外パイプ１６０との間に内部絶縁膜２７２と、外パイプ２６０の表面の後方部に外部絶縁膜２７４とが取付けられ、電極チップ１００と外パイプ２６０との間にも絶縁部材２７６が取付けられる。一方、温度センサー２８０は、内パイプ２４０の外部に取付けられているが、内パイプ２４０の内側に取付けることもできる。
【００３９】
図１２には、バイポーラタイプの電極２００と、図２〜図４に示す本発明の第１の実施例に係る高周波手術用電極チップ１００とが結合された形態を示しているが、バイポーラタイプの電極２００と、図５〜図７に示す本発明の第２の実施例に係る高周波手術用電極チップ１００とが結合された形態でも実施できる。
【符号の説明】
【００４０】
１００  高周波手術用電極チップ
１２０  傾斜面
１４０  ホール
２００  電極
２１０  外パイプ
２２０  内パイプ
３００  パイプ
【図１】
2013163019.tif 000003
【図２】
2013163019.tif 000004
【図３】
2013163019.tif 000005
【図４】
2013163019.tif 000006
【図５】
2013163019.tif 000007
【図６】
2013163019.tif 000008
【図７】
2013163019.tif 000009
【図８】
2013163019.tif 000010
【図９】
2013163019.tif 000011
【図１０】
2013163019.tif 000012
【図１１】
2013163019.tif 000013
【図１２】
2013163019.tif 000014